(57)【要約】インサートポケット(１４)に固定される切削インサート(１６)を持った切削工具(１２)。切削インサート(１６)は、その逆向きの側面(２４)に配される単一の外側に突出する係合突起(３２)を有する。それぞれの側面(２４)の係合突起(３２)は仮想平面(Ｐ１)を画成する外側面(３６)を有し、この仮想平面は外側面から離れた個々の側面(２４)のあらゆる部分に交わらない。一方の係合突起(３２)の外側面(３６)は、インサートポケット(１４)の主壁(３８)に係合する。
2012522658.tif 000002
【特許請求の範囲】
【請求項１】
２つの逆向き端面(２０)と、これらの間に延在して少なくとも第１の側面(２４')を具える外周面(２２)とを具えた切削インサート(１６)であって、
前記第１の側面(２４')は、そこに延在して前記第１の側面(２４')の第１の裏面(３４')に関して外側に突出する単一の第１の係合突起(３２')を具え、この第１の係合突起(３２')は、切削インサート(１６)をそこに取り外し可能に保持するインサートポケットの主壁(３８)に係合するための第１の外側面(３６')を具え、
前記第１の外側面(３６')は概ね平坦であって、この外側面のそばにある前記第１の側面(２４')の何れの部分にも交わらない仮想平面(Ｐ１)を画成することを特徴とする切削インサート。
【請求項２】
この切削インサート(１６)は両面使用でき、前記外周面(２２)は、前記第１の側面(２４')に対向して配されてこれと同一の第２の側面(２４")を具え、この第２の側面(２４")が第２の外側面(３６")を有する単一の第２の係合突起(３２")を具え、この第２の係合突起(３２")は前記第２の側面(２４")の第２の裏面(３４")に対して突出し、前記第２の外側面(３６")は概ね平坦であって、前記第２の外側面(３６")に隣接する前記第２の側面(２４")のどの部分とも交わらない仮想平面(Ｐ２)を画成し、
前記外周面(２２)は２つの逆向きの小さな面(２６)をさらに具え、これら小さな面(２６)のそれぞれが第１および第２の側面(２４'，２４")の間にそれぞれ配されていることを特徴とする請求項１に記載の切削インサート(１６)。
【請求項３】
切削インサート(１６)が接線方向の切削インサート(１６)であって、
貫通穴(４０)がこの切削インサート(１６)を通って延在し、第１の側面(２４')に向けて広がり、そこで第１の開口を画成し、
前記第１の係合突起(３２')が前記第１の開口を取り囲み、それにより穿孔されていることを特徴とする請求項１に記載の切削インサート(１６)。
【請求項４】
前記第１および第２の外側面(３６'，３６")が相互に平行であって、２つの前記小さな面(２６)および２つの前記端面(２０)を通って延在する第１の中央面(Ｍ１)に対し概ね平行であることを特徴とする請求項２に記載の切削インサート(１６)。
【請求項５】
前記第１の係合突起(３２')は前記第１の側面(２４')の全体に沿って延在せず、かつ前記第１の側面(２４')と関連する切れ刃(３０)のどことも交差しないことを特徴とする請求項１に記載の切削インサート(１６)。
【請求項６】
第１および第２の裏面(３４'，３４")が前記第１および第２の係合突起(３２'，３２")をそれぞれ取り囲み、これら第１および第２の裏面(３４'，３４")は概ね凹面であることを特徴とする請求項２に記載の切削インサート(１６)。
【請求項７】
切削インサート(１６)は両面使用でき、前記外周面(２２)は、
前記第１の側面(２４')に対向して配されてこれと同一の第２の側面(２４")であって、この第２の側面(２４")の第２の裏面(３４")に関して突出する第２の係合突起(３２")を具え、この第２の係合突起(３２")が第２の外側面(３６")を具える第２の側面(２４")と、
それぞれが前記第１および第２の側面(２４'，２４")の間にそれぞれ延在する２つの逆向きの小さな面(２６)と
をさらに具え、前記第１および第２の側面(２４'，２４")は、切削インサート(１６)の他のあらゆる面よりも面積が大きく、
この切削インサート(１６)は、そこに締結部品を収容するための貫通穴(４０)を具え、この貫通穴(４０)は前記第１および第２の側面(２４'，２４")に向けて広がり、前記第１および第２の側面(２４'，２４")に第１および第２の開口(４２'，４２")をそれぞれ画成し、
前記第１および第２の係合突起(３２'，３２")は、前記第１および第２の開口(４２"，４２")をそれぞれ取り囲み、これら第１および第２の開口(４２'，４２")によりそれぞれ穿孔され、
前記第１および第２の外側面(３６'，３６")はそれぞれ相互に平行に延在し、および２つの前記小さな面(２６)および２つの前記端面(２０)を通って延在する第１の中央平面(Ｍ１)に対して概ね平行に延在し、
前記第１および第２の係合突起(３２'，３２")のそれぞれは、個々の側面(２４)と関連する切れ刃(３０)のどこにも全く延在せず、
前記第１および第２の裏面(３４'，３４")は前記第１および第２の係合突起(３２'，３２")をそれぞれ取り囲み、これら第１および第２の裏面(３４'，３４")は概ね凹面であることを特徴とする請求項１に記載の切削インサート(１６)。
【請求項８】
その一端に形成された少なくとも１つの刃部を具えた切削工具(１２)であって、前記刃部はそこに取り外し可能に保持される切削インサート(１６)を有するインサートポケットを具え、前記切削インサート(１６)は少なくとも一端面と外周面(２２)とを具え、この外周面(２２)が少なくとも１つの第１の側面(２４')を具え、
前記第１の側面(２４')は、そこに延在して前記第１の側面(２４')の他の部分に関して外側に突出する第１の係合突起(３２')を具え、
この第１の係合突起(３２')は、前記インサートポケットの支持主壁(３８)に係合する第１の外側面(３６')を具え、
この第１の外側面(３６')が前記主壁(３８)に係合する前記第１の側面(２４')の唯一の部分であることを特徴とする切削工具(１２)。
【請求項９】
前記第１の外側面(３６')が平坦であって、前記第１の外側面(３６')のそばにある前記第１の側面(２４')のどの部分にも交わらない仮想平面(Ｐ１)を画成することを特徴とする請求項８に記載の切削工具(１２)。
【請求項１０】
切削インサート(１６)は両面使用できる切削インサート(１６)であって、前記外周面(２２)は第１の側面(２４')に対向して配されてこれと同一の第２の側面(２４")を具え、この第２の側面(２４")は、これに沿って延在し、かつ第２の外側面(３６")を有する単一の第２の係合突起(３２")を具え、この第２の係合突起(３２")は前記第２の側面(２４")の第２の裏面(３４")に関して突出し、前記第２の外側面(３６")は概ね平坦であって、前記第２の外側面(３６")のそばにある前記第２の側面(２４")のどの部分とも交わらない仮想平面(Ｐ２)を画成し、
前記外周面(２２)は、２つの逆向きの小さな面(２６)をさらに具え、小さな面(２６)のそれぞれは、前記第１および第２の側面(２４'，２４")の間にそれぞれ配され、切削作業中に前記第２の係合突起(３２")のどの部も切削作業を妨げないことを特徴とする請求項９に記載の切削工具(１２)。
【請求項１１】
前記第１および第２の外側面(３６'，３６")は相互に平行であって、２つの前記小さな面(２６)および２つの前記端面(２０)を通って延在する切削インサート(１６)の第１の中央平面(Ｍ１)に対して概ね平行であることを特徴とする請求項１０に記載の切削工具(１２)。
【請求項１２】
前記第１の係合突起(３２')は第１の側面(２４')の全体に沿って延在せず、前記第１の側面(２４')と関連する切れ刃(３０)のどことも交差しないことを特徴とする請求項８に記載の切削工具(１２)。
【請求項１３】
そこに固定部品を収容するように形成された貫通穴(４０)が前記第１の側面(２４')に向けて広がり、そこに第１の開口を画成し、前記第１の係合突起(３２')は、前記第１の開口を取り囲み、それによって穿孔されていることを特徴とする請求項８に記載の切削工具(１２)。
【請求項１４】
前記第１の係合突起(３２')は、前記第１の側面(２４')の第１の裏面(３４')に関して外側に突出し、
前記第１および第２の裏面(３４'，３４")は前記第１および第２の係合突起(３２'，３２")をそれぞれ取り囲み、
前記第１および第２の裏面(３４',３４")が概ね凹面であることを特徴とする請求項１０に記載の切削工具(１２)。
【請求項１５】
切削インサート(１６)は、前記外周面(２２)に関してこの切削インサート(１６)の両側に延在する２つの端面(２０)を具え、
切削インサート(１６)は両面使用でき、前記外周面(２２)は、
第２の係合突起(３２")を具え、かつ前記第１の側面(２４')に対向して配されてこれと同一の第２の側面(２４")と、
それぞれが２つの前記側面(２４)の間にそれぞれ延在する２つの逆向きの小さな面(２６)と
をさらに具え、切削インサート(１６)は接線方向の切削インサート(１６)であって、前記第１および第２の側面(２４'，２４")は、切削インサート(１６)の他の面よりも面積が大きく、
切削インサート(１６)は、そこに締結部品を収容するための貫通穴(４０)を具え、この貫通穴(４０)は、前記第１および第２の側面(２４'，２４")に向けて広がり、第１および第２の開口(４２'，４２")を前記第１および第２の側面(２４'，２４")にそれぞれ画成し、
前記第１および第２の係合突起(３２'，３２")は、前記第１および第２の開口(４２'，４２")をそれぞれ取り囲み、これら第１および第２の開口(４２'，４２")によってそれぞれ穿孔され、
前記第１および第２の外側面(３６'，３６")は相互に平行であって、２つの前記小さな面(２６)および２つの前記端面(２０)を通って延在する第１中央平面(Ｍ１)に対して概ね平行であり、
前記第１および第２の係合突起(３２'，３２")は、これら個々の側面(２４'，２４")と関連する切れ刃(３０)のどこにも全く延在しないことを特徴とする請求項８に記載の切削工具(１２)。
【発明の詳細な説明】
【技術分野】
【０００１】
本発明は、切削インサートおよびそれ用の切削工具に関し、切削インサートはその側面に形成された単一の係合突起を有する。
【背景技術】
【０００２】
旋削やフライス加工または他の金属切削作業のために用いられる多数の割り出し可能な切削インサートは、平らではない形状、例えば凹形か、凸形か、湾曲形か、窪み形か、波形か、ねじれ形か、または弓形か、あるいは他の異なる平らではない形状を有する１つ以上の作用および／または非作用面を含む。これらの表面は、例えば切削インサートの設計に関係した機能的および幾何学的な要求から生ずる種々の制約を満たすため、平らではない形状を前提としている。
【０００３】
例えば、いくつかの割り出し可能な両面使用できる切削インサートは２つの逆向きの面を有し、例えば２つの逆向きの側面は、同一かつ平坦ではない形状を有する。このような切削インサートが切削工具のインサートポケットに保持された場合、２つの逆向きの面の一方は、切削作業に関係する関連した切れ刃すなわち切削領域を有する作用面であってよい。例えば、この作用面は、すくい面または逃げ面として機能することができる。逆向きの面の他方は切削作業に直接関係せず、すなわち、これは非作用面であって、例えばインサートポケットの支持壁に係合することによって、切削インサートの係合面として機能することができる。例えば、切削インサートが割り出された場合、２つの逆向きの面は、位置を交換し、従って相互の機能を引き継ぐ。
【発明の概要】
【発明が解決しようとする課題】
【０００４】
しかしながら、例えば上記の例を参照すると、作用面の機能的要求が場合によっては係合面のための機能的要求とは異なる。従って、２つの同一形状の交換可能な面は、例えば作用面の機能性に対して適切であるけれども、係合面の機能性に対して不適切である可能性がある。例えば、平らではない２つの面の形状は、望ましい隙間，切削および／または切り屑を形成する特性を作用面に対してもたらすが、同時に係合面と支持壁との間に悪化した係合しかもたらさない可能性がある。
【０００５】
さらに、例えば切削インサートの製造における通常の欠陥のため、前述の悪化した係合でさえ、それぞれ個々の切削インサートの複数の面および切れ刃の多大な研削を通してのみ達成される可能性がある。多大な研削は費用が掛かり、切削インサートを被覆するコーティング層の望まざる剥離をさらに結果として生ずる可能性がある。加えて、切削インサートの寸法形状によっては、切れ刃の研削が必要ではないにもかかわらず、また望ましくなくとも、例えば切削インサートの切れ刃を個々の係合面と共に研削することを結果として生ずる。
【０００６】
前述の欠点を著しく削減または克服した切削インサートおよびそれのための切削工具を提供することが本発明の目的である。
【課題を解決するための手段】
【０００７】
本発明のいくつかの実施形態は、切削インサートおよびそれのための切削工具を含む。この切削工具は、その一端に形成された刃部を含み、この刃部はそこに取り外し可能に保持される切削インサートを有するインサートポケットを含む。この切削インサートは外周面を含み、この外周面は単一の係合突起を有する少なくとも１つの第１の側面を含む。
【０００８】
いくつかの実施形態において、第１の側面は、第１の係合突起、例えば第１の側面に延在すると共に第１の側面の第１の裏面に関して外側に突出する単一の第１の係合突起を含む。いくつかの実施形態において、裏面は、切削インサートの機能的要求、例えば隙間要求または他の切削要求を満たすため、例えば凹面であってよい。第１の係合突起は、切削インサートに一体的に形成され、切削インサートの裏面および他の部分と共に単一で一体の一体型ユニットを形成する。第１の係合突起は概ね平坦な外側面を有し、インサートポケットの主壁に平らに係合する。これにより、第１の係合突起は第１の側面のため、従って切削インサートのため、主壁と共に適切な係合手段をもたらす。例えば、外側面はその側面の外側面から離れた第１の側面のあらゆる個所に交わらない仮想平面を画成し、すなわちこの仮想平面は、第１の裏面または第１の側面の端縁のどこにも交わらない。これにより、いくつかの実施形態において、外側面は例えば平坦な形状であってもよい平らな主壁に係合する第１の側面の唯一の部分である。
【０００９】
いくつかの実施形態において、切削インサートは接線方向にあり、すなわち切削インサートは、加工対象物に対する切削作業中に、切削力が切削インサートのより大きい方の(より厚い)寸法に沿って向けられるような方法で切削工具に方向付けられる。例えば、これらの実施形態のいくつかにおいて、第１の係合突起は、例えばそこに固定部品を収容するため、切削インサートを通って延在し、かつ第１の側面に向けて広がる貫通穴の開口を取り囲むことができる。従って、第１の係合突起を第１の側面の概ね中央部に形成することができ、例えば貫通穴の開口によって穿孔された穿孔形状を例えば持つことができる。さらに、いくつかの実施形態において、係合突起の輪郭が概ね多角形状を有するのに対し、他の実施形態における第１の係合突起を他の適当な形状にすることができる。
【００１０】
いくつかの実施形態において、切削インサートは両面使用可能な切削インサートであり、第１の側面に対向して配された第２の側面を有し、この第２の側面が第１の側面に対して同一であってよい。従って、第２の側面は第２の係合突起、例えば第２の側面に延在して第２の側面の第２の裏面に関して外側に突出する単一の第２の係合突起を含むことができる。例えば、第１の側面および第２の側面は位置を交換することができ、切削インサートの割り出しに関し、主壁との第２の係合突起の係合を結果としてもたらす。
【００１１】
個々の側面のそれぞれに対する係合突起は、個々の側面の端縁のどこにも全く突出せず、例えば個々の裏面を越える限られた範囲でのみ、外側に突出することができる。従って、例えば第２の係合突起は第２の側面の端縁のどこにも全く突出せず、例えば第２の裏面を越える限られた範囲でのみ、外側に突出することができる。従って、切削領域に隣接して配される部分を有する第２の側面は、例えば逃げ面として機能することができ、切削作業中に第２の係合突起が加工対象物から解放され、例えば作用する、すなわち切削作業のあらゆる機能性に対して干渉する第２の係合突起の部分がないようになっている。
【００１２】
このように、本発明のいくつかの実施形態による切削インサート、例えば両面使用できる切削インサートは、適切な切削特性と、保持インサートポケットに係合するための適切な係合手段との両方が与えられる。
【００１３】
いくつかの実施形態において、本発明による複数の切削インサートの複数の外側面は、例えば個々の側面の他の部分を越える外側面の突起により、相対的容易性および効率と共にそれらの概ね平坦な形状を取るように研磨されることができる。例えば、本発明の実施形態による複数の切削インサートは、個々の切削インサートのすべての切れ刃の不必要な研磨をすることなく、例えば単一の平面研磨作業にて一括して研磨されたそれらの個々の外側面を有する単一の基板に設けることができる。これは、例えばそれぞれ別個の切削インサートの複数の表面および切れ刃の個々および望まない研磨に取って代わることができる。
【図面の簡単な説明】
【００１４】
【図１】本発明のいくつかの実施形態による切削工具の刃部の立体投影図であり、そこに取り外し可能に保持される切削インサートを有するインサートポケットを含む。
【図２】本発明のいくつかの実施形態による図１の切削インサートの立体投影図である。
【図３】図１の切削インサートの平面図であり、仮想平面Ｐ１が第１の側に含まれると共に仮想平面Ｐ２が第２の側に含まれている。
【図４】本発明のいくつかの実施形態による図１の刃部の側面図である。
【図５】本発明のいくつかの実施形態による図４中のＶ−Ｖ線に沿って取得された図４に示す刃部の断面図である。
【発明を実施するための形態】
【００１５】
本発明のより良い理解のため、また本発明が実際にどのように実施されるかを示すため、ここで参照が添付図面に対してなされよう。
【００１６】
例示の平易性および明瞭性のため、図に示した要素が必ずしも寸法通りに描かれていないことを認識されよう。例えば、いくつかの要素の寸法が明瞭性のために他の部材に対して誇張される可能性があり、あるいは種々の物理的な部品を１つの機能ブロック、すなわち要素として含む可能性がある。さらに、適切であると考えた場合、参照符号が対応または類似の要素を指示するように、図面に亙って繰り返される可能性がある。
【００１７】
以下の説明において、本発明の種々の形態が記述されよう。説明の目的のため、特定の形状および詳細が本発明の完全な理解を与えるために述べられる。しかしながら、ここで与えた特定の詳細なしで本発明を実施できることもまた、当業者にとって明白であろう。さらに、本発明を不可解にしないため、周知の特徴は省略または単純化される可能性がある。
【００１８】
ここでのいくつかの図面はバイトを示すけれども、本発明はこの点に限定されない。例えば、本発明の実施形態は、他の切削工具、例えばそこに取り外し可能に保持される１つ以上の切削インサートを有するフライスカッターや、リーマーや、分割工具や、または他の金属切削工具に当てはめることができる。
【００１９】
さらに、ここでのいくつかの図面は特定の形状を有する切削インサートを示すけれども、本発明の実施形態はこの点に限定されない。本発明の実施形態は他の形状を有する切削インサートを含むか、あるいはこれに当てはめることができる。
【００２０】
また、ここでのいくつかの図面は示し、 および／またはここでのいくつかの記述は切削インサートに特定の位置を取る切削インサートの１つ以上の側面に関し、および／または特定の機能を行うけれども、本発明の実施形態はこの点に限定されない。従って、ここで述べた１つ以上の側面は、切削インサートの表面の何れか１つのことを意味し、および／または切削インサートと関連する複数の機能の１つ以上を果たすことができる。
【００２１】
いくつかの実施形態による切削工具１２の切削部１０を示す図１に対して参照がなされる。
【００２２】
いくつかの実施形態において、切削部１０はその一端に形成したインサートポケット１４を含み、このインサートポケット１４は、切削インサート１６、例えばそこに取り外し可能に保持されて固定部品１８、例えば固定ねじにより固定される割り出し可能な切削インサートを有する。切削インサート１６は、２つの逆向き端面２０と、これらの間に延在する外周面２２とを含むことができる。外周面２２は、逃げ面および／または係合面として機能するか、あるいは他の機能を有する１つ以上の側面２４を含むことができる。外周面２２は、１つ以上の小さな面２６、例えば２つの逆向きの小さな面２６を補助的に含むことができ、それぞれの小さな面２６は２つの逆向きの側面２４の間に延在することができる。外周面２２および端面２０は、個々の端縁２８にて交わり、その少なくとも一部が個々の切れ刃３０を形成することができる。
【００２３】
本発明のいくつかの実施形態による切削部１０および部品およびその断面を示す図２〜図５に対して参照がなされる。
【００２４】
いくつかの実施形態において、例えば切削インサート１６は両面使用が可能であり、外周面２２が２つのほぼ同一な、例えば逆向きの側面２４、例えば第１の側面２４'と第２の側面２４"とを含むようになっている。側面２４のそれぞれは、単一の係合突起３２および裏面３４をそれぞれ含むことができる。従って、第１の側面２４'は、例えば第１の裏面３４'によって取り囲まれた単一の第１の係合突起３２'を含む。同様に、第２の側面２４"は、例えば第２の裏面３４"によって取り囲まれた単一の第２の係合突起３２"を含む。それぞれの係合突起３２は、以下に詳細に記述されるように、例えば個々の裏面３４を越えて外側に突出することができる。
【００２５】
いくつかの実施形態において、裏面３４は、切削インサートの機能要求、例えば隙間要求または他の切削要求を満たすため、例えば凹面である。それぞれの係合突起３２は、例えばそれぞれの側面２４の全体に沿って延在せず、また例えば図２および図３に示すように、端縁２８の何れとも、または切れ刃３０の何とも交わらない。
【００２６】
それぞれの係合突起３２は、以下に詳細に記述されるように、個々の外側面３６を例えば含むことができる。従って、第１の係合突起３２'は、例えばインサートポケット１４への切削インサート１６の挿入の際にインサートポケット１４の主壁３８に係合するため、図５に示すと共に以下に詳細に記述されるように、第１の外側面３６'を含む。第２の係合突起３２"は、例えば第１の外側面３６'と同一の外側面３６"を同様に含む。例えば、切削インサート１６の割り出しに際し、第１の側面２４'および第２の側面２４"が位置を交換する。
【００２７】
上述したように、係合突起３２のそれぞれは、例えば個々の側面２４と関連するあらゆる端縁２８またはあらゆる切れ刃３０に対して不完全に延在することができる。加えて、係合突起３２は個々の側面２４の他の部分を越えて既定の限定された範囲まで外側に突出することができる。これは、例えば主壁３８と係合中ではない第２の係合突起３２"と、機械加工されている加工対象物との間の切削作業中の充分な隙間を与えることができる。従って、第２の係合突起３２"は切削作業中に機械加工された加工対象物から解放され、例えば切削作業のあらゆる機能性に関与または干渉する第２の係合突起３２"の部分がないようになっている。
【００２８】
いくつかの実施形態において、外側面３６、例えば第１の外側面３６'は、主壁３８との平坦面係合をもたらすように、概ね平坦であってよい。従って、主壁３８は第１の係合突起３２'に平坦面係合するように、相補的ほぼ平坦な形状を採用することができる。図３に示すように、第１の外側面３６'は、第１の側面２４'の他の部分を越えて外側に突出するので、例えば、第１の外側面３６'はほぼ、例えば、第１の側面２４'の他のいかなる部も交わらない仮想平面Ｐ１を実質的に画成することができる。従って、例えば、切削インサート１６がインサートポケット１４に固定された場合、第１の外側面３６'は、例えば図５に示すように、主壁３８に係合する第１の側面２４'の唯一の部分である。第２の外側面３６"の組は、第１の仮想平面Ｐ１に対して平行である第２の仮想平面Ｐ２を画成することが理解される。また、一端面図の図３に示すように、切削インサート１６全体は、２つの仮想平面の間に配される。
【００２９】
従って、裏面３４がそれらの個々の外側面３６に関して凹ますことが可能であることは、前述から理解されることができる。従って、インサート１６をインサートポケット１４に挿入した場合、図１および図５に示す如く、一方の側面２４の係合突起３２の外側面３６は、インサートポケット１４の主壁３８を係合し、従って対応する裏面２４を主壁３８から離して空間をあける。
【００３０】
いくつかの実施形態において、例えば図３示すように、第１の中央平面Ｍ１は、２つの端面２０を通り、かつ２つの小さな面２６を通って延在し、この第１の中央平面Ｍ１は、例えば仮想平面Ｐと平行に延在する。第２の中央平面Ｍ２は、側面２４を通ると共に端面２０を通って延在することができ、この第２の中央平面Ｍ２は、例えば第１の中央平面Ｍ１に対しほぼ直交して延在する。いくつかの実施形態において、第１および第２の外側面３６は相互に平行であり、従って第１の中央平面Ｍ１に対して例えば平行である。
【００３１】
いくつかの実施形態において、切削インサート１６は接線方向にある。これらの実施形態のいくつかにおいて、例えば、切削インサート１６を通って延在し、そこに固定部品１８を収容するための貫通穴４０は、両方の側面２４に向けて広がり、そこに第１および第２の開口４２'および４２"をそれぞれ画成することができる。いくつかの実施形態において、第２の中央平面Ｍ２は、貫通穴４０をほぼ二等分することができる。
【００３２】
例えば、第１の係合突起３２'は第１の開口４２'の回りに延在し、例えば第１の開口４２'を取り囲み、これによって穿孔されることができる。いくつかの実施形態において、例えば切削インサート１６が両面使用可能であって接線方向にある場合、側面２４は切削インサートの他の面よりもそれぞれ大きな面積であってよく、例えば側面２４のそれぞれは、小さな面２６および端面２０のそれぞれよりも大きな面積であってよい。いくつかの実施形態において、第２の係合突起３２"は、例えば第２の開口４２"の回りに延在し、例えば第２の開口４２"を取り囲み、これにより穿孔されることができる。
【００３３】
本発明が１つ以上の特定の実施形態を参照して記述されているけれども、この説明は総括的に例示されるように意図され、本発明を図示した実施形態に限定するように解釈すべきではない。ここに詳細に示されていないにもかかわらず、本発明の範囲内にある種々の変更を当業者らが想起できることは理解される。
【図１】
2012522658.tif 000003
【図２】
2012522658.tif 000004
【図３】
2012522658.tif 000005
【図４】
2012522658.tif 000006
【図５】
2012522658.tif 000007
【国際調査報告】
2012522658.tif 000008
2012522658.tif 000009